(57)【要約】【課題】表示画面と保護パネルとの間に介在するギャップ空間への塵埃類の侵入を防止できて曇り止め効果も高い「液晶表示装置」を提供すること。【解決手段】前面パネル２の開口部２ａが透明な保護パネル５に蓋閉されており、この保護パネル５と前面パネル２に固定された表示ユニット３の表示画面３ａとの間にギャップ空間９が存する液晶表示装置１において、保護パネル５の外周部の複数箇所に通気孔５０を設けると共に、通気性を有する枠状の防塵シート７を保護パネル５の外周部に貼着することによって各通気孔５０を表示ユニット３側から覆うようにした。この防塵シート７のうち通気孔５０を覆っている部分の一部は該通気孔５０とギャップ空間９とを仕切る隔壁部７ｃとして機能し、通気孔５０は前面パネル２の裏面側の凹所２ｂを介して外部空間と連通されている。【選択図】図１
2011133783.tif 000002
【特許請求の範囲】
【請求項１】
開口部を有する前面パネルと、この前面パネルに保持されて前記開口部を蓋閉する透明な保護パネルと、この保護パネルとギャップ空間を介して対向する表示画面を有して前記前面パネルの裏面側に配設された表示ユニットとを備えた液晶表示装置において、
前記保護パネルの外周部の複数箇所に前記前面パネルの裏面側の空所と対向する通気孔を設け、この通気孔が前記空所を介して外部空間と連通されるようになすと共に、前記ギャップ空間の周囲に通気性を有する枠状の防塵シートを配置し、この防塵シートの外周部が前記表示ユニットの前記表示画面を包囲する部分と前記保護パネルの外周部との間に挟み込まれるようになし、かつ、前記通気孔を前記表示ユニット側から前記防塵シートで覆うことにより、前記ギャップ空間と前記通気孔とが前記防塵シートで仕切られるように構成したことを特徴とする液晶表示装置。
【請求項２】
請求項１の記載において、前記防塵シートの前記通気孔を覆っている部分のうち、内周寄りの一部だけで前記通気孔と前記ギャップ空間とを仕切り、他部は前記表示ユニットに密着させて前記ギャップ空間に臨出させないようにしたことを特徴とする液晶表示装置。
【請求項３】
請求項１または２の記載において、前記防塵シートが不織布からなることを特徴とする液晶表示装置。
【請求項４】
請求項１〜３のいずれか１項の記載において、前記防塵シートが両面接着テープを用いて前記保護パネルの外周部に貼着されており、この両面接着テープの前記通気孔と対応する箇所に逃げ孔が設けられていることを特徴とする液晶表示装置。
【請求項５】
請求項１〜４のいずれか１項の記載において、前記防塵シートの隅部に他の部分に比べて幅広な幅広部を設けると共に、前記複数の通気孔のうち前記幅広部に覆われる通気孔の口径を相対的に大きくしたことを特徴とする液晶表示装置。
【発明の詳細な説明】
【技術分野】
【０００１】
本発明は、表示画面が透明な保護パネルに覆われている液晶表示装置に係り、特に、表示画面と保護パネルとの間に介在するギャップ空間への塵埃類の侵入や結露による曇りの発生を防止するための防塵防曇対策に関するものである。
【背景技術】
【０００２】
通常、自動車の車室内に設置される液晶表示装置は、表示ユニット（液晶ユニット）の表示画面を透明な保護パネルで覆うことによって表示画面が損傷しないように配慮されている。保護パネルの材料としてはポリカーボネイトやアクリルなどの無色透明または有色透明な合成樹脂板が広く採用されており、スケールプレート（目盛り板）が保護パネルを兼ねている構成のものもある。また、保護パネルが搭乗者の手指などで押されて撓んだ場合にも表示画面が損傷しないようにするため、表示画面と保護パネルとの間にはギャップ空間（空隙）が確保されている。
【０００３】
このように保護パネルを付設した液晶表示装置において、表示画面と保護パネルとの間に介在するギャップ空間が密閉されていないと、このギャップ空間に塵埃や虫等の異物が侵入して表示品位を著しく損なう虞がある。しかるに、このギャップ空間を完全に密閉してしまうと、低温環境下などにおいて、ギャップ空間に含まれる水蒸気が結露したまま残存しやすくなるため、表示画面の曇った状態が長引いてしまうという別の不具合が発生する。
【０００４】
そこで従来より、表示画面と保護パネルとの間のギャップ空間をほぼ全周に亘ってスポンジ等のクッション部材（シール部材）で枠状に覆うと共に、このクッション部材の不連続な箇所を通気口となした液晶表示装置が提案されている（例えば、特許文献１参照）。かかる従来の液晶表示装置は、クッション部材を挟んだ状態で表示ユニットに保護パネルを取り付けることによって、クッション部材を弾性圧縮させているため、塵埃類がクッション部材を通過してギャップ空間内へ侵入する虞がない。また、このギャップ空間は通気口を介して外部空間と連通されているため、ギャップ空間内に結露が生じても速やかにこれを消失させるという曇り止め効果を期待できる。ただし、通気口は塵埃類の侵入路となる可能性があるため、かかる従来例では、通気口に隣接するクッション部材の端部どうしを凹凸の関係で対向する形状に形成しておくことによって、これら端部どうしに挟まれて画成される通気口を塵埃類が通過しにくい幅狭で屈曲した形状にしている。
【先行技術文献】
【特許文献】
【０００５】
【特許文献１】特開２００８−８９８５７号公報
【発明の概要】
【発明が解決しようとする課題】
【０００６】
ところで、前述した従来の液晶表示装置では、表示画面と保護パネル間のギャップ空間を略包囲するクッション部材を弾性圧縮させることで不所望な隙間のない防塵構造を実現しているが、挟圧状態で組み付けられるクッション部材の弾性圧縮量（押し潰し量）には若干のばらつきが避け難いため、クッション部材によって画成される通気口の大きさや形状を正確に規定できないという問題があった。すなわち、通気口が広すぎると表示画面と保護パネル間のギャップ空間に塵埃類が侵入しやすくなり、逆に通気口が狭すぎるとギャップ空間内に曇りが発生しやすくなるため、いずれの場合も良好な表示品位を保つことは困難となる。
【０００７】
また、前述した従来の液晶表示装置では、通気口を介して隣接する複数のクッション部材を保護パネル等に貼り付けなければならないが、各クッション部材は形状が閉ループではないので所定位置へ正しく貼着するために煩雑な手作業を余儀なくされてしまい、しかも、表示ユニットと保護パネルとを一体化する際に弾性圧縮させたクッション部材の反力に抗して組立作業を行わねばならず、組立作業性が悪いという問題もあった。
【０００８】
本発明は、このような従来技術の実情に鑑みてなされたもので、その目的は、表示画面と保護パネルとの間に介在するギャップ空間への塵埃類の侵入を防止できて曇り止め効果も高い液晶表示装置を提供することにある。
【課題を解決するための手段】
【０００９】
上記の目的を達成するために、本発明は、開口部を有する前面パネルと、この前面パネルに保持されて前記開口部を蓋閉する透明な保護パネルと、この保護パネルとギャップ空間を介して対向する表示画面を有して前記前面パネルの裏面側に配設された表示ユニットとを備えた液晶表示装置において、前記保護パネルの外周部の複数箇所に前記前面パネルの裏面側の空所と対向する通気孔を設け、この通気孔が前記空所を介して外部空間と連通されるようになすと共に、前記ギャップ空間の周囲に通気性を有する枠状の防塵シートを配置し、この防塵シートの外周部が前記表示ユニットの前記表示画面を包囲する部分と前記保護パネルの外周部との間に挟み込まれるようになし、かつ、前記通気孔を前記表示ユニット側から前記防塵シートで覆うことにより、前記ギャップ空間と前記通気孔とが前記防塵シートで仕切られるように構成した。
【００１０】
このように構成された液晶表示装置は、表示画面と保護パネルとの間に介在するギャップ空間が通気性を有する枠状の防塵シートに包囲されていると共に、このギャップ空間と保護パネルの通気孔とが防塵シートによって仕切られているため、外部空間からギャップ空間内へ流入する空気中に含まれている塵埃類を防塵シートで確実に捕獲することができ、ギャップ空間内で浮遊する塵埃類も防塵シートで捕獲することができる。また、ギャップ空間と通気孔とをオーバーラップさせて両者間での空気の流通が円滑に行えるようにしてあるため、ギャップ空間内に結露が発生しにくくなり、仮に発生しても速やかに結露を消失させることができ、良好な曇り止め効果を期待することができる。また、この防塵シートは全体形状が閉ループな枠状に形成されているため、防塵シートの保護パネルへの貼着作業が容易に行え、かつ貼着後は保護パネルと防塵シートを１枚の板状部材として取り扱うことができるため、液晶表示装置の組立性が良好となる。
【００１１】
上記の構成において、防塵シートは通気孔を覆っている部分の全領域をギャップ空間に臨出させてもよいが、当該部分の一部だけをギャップ空間に臨出させるという構成にした場合でも、通気孔とギャップ空間との空気流通路を確保することができる。例えば、防塵シートの通気孔を覆っている部分のうち、内周寄りの一部だけで通気孔とギャップ空間とを仕切り、他部は表示ユニットに密着させてギャップ空間に臨出させないようにした場合には、ギャップ空間との空気流通路を確保しつつ通気孔を保護パネルの外周縁近傍に設けることができるため、保護パネルのうち前面パネルの開口部に臨出させうる有効領域が広くとれることになり、液晶表示装置の表示領域を無理なく拡大することができる。
【００１２】
また、上記の構成において、防塵シートの材料としては塵埃類の捕獲に好適で通気性に富むものを適宜選択することができるが、防塵シートが不織布からなると、種類が豊富で廉価であり加工も容易なため特に好ましい。
【００１３】
また、上記の構成において、防塵シートが両面接着テープを用いて保護パネルの外周部に貼着されており、この両面接着テープの通気孔と対応する箇所に逃げ孔が設けられていると、ギャップ空間と通気孔との間の空気の流通を損なわずに、防塵シートと保護パネルとを一体化する作業が容易に行えるため好ましい。
【００１４】
また、上記の構成において、例えばデザイン上等の理由で前面パネルの開口部が単純な矩形とは異なる形状に設定されている場合、防塵シートの隅部に他の部分に比べて幅広な幅広部を設けると共に、保護パネルの複数の通気孔のうち前記幅広部に覆われる通気孔の口径を相対的に大きくすると、ギャップ空間と通気孔とがオーバーラップする面積を十分に確保して曇り止め効果を高めることが容易となる。
【発明の効果】
【００１５】
本発明の液晶表示装置は、表示画面と保護パネルとの間に介在するギャップ空間が通気性を有する枠状の防塵シートに包囲されていると共に、保護パネルの外周部に設けた通気孔が防塵シートを介してギャップ空間と仕切られているため、ギャップ空間内への塵埃類の侵入を防塵シートによって確実に防止することができる。また、ギャップ空間と通気孔とをオーバーラップさせて両者間での空気の流通が円滑に行えるようにしてあるため、ギャップ空間と外部空間との温度差を速やかに解消できて良好な曇り止め効果を期待できる。また、防塵シートは全体形状が閉ループな枠状に形成されているため、防塵シートの保護パネルへの貼着作業が容易に行え、かつ貼着後は保護パネルと防塵シートを１枚の板状部材として取り扱うことができるため、組立コストを抑制できて液晶表示装置の低コスト化が促進できる。
【図面の簡単な説明】
【００１６】
【図１】本発明の実施形態例に係る液晶表示装置の要部断面図である。
【図２】該液晶表示装置の分解斜視図である。
【図３】図２に示す透過板ユニットを正面から見た説明図である。
【図４】該透過板ユニットの分解斜視図である。
【発明を実施するための形態】
【００１７】
以下、本発明の実施形態例を図面を参照して説明する。図１および図２に示す液晶表示装置１は自動車の車室内に設置して使用されるものである。この液晶表示装置１は、開口部２ａを有する前面パネル２と、表示画面３ａを有して前面パネル２の裏面側にねじ止め固定された表示ユニット３と、これら前面パネル２と表示ユニット３との間に挟み込まれた透過板ユニット４とによって主に構成されている。ただし、前面パネル２には液晶表示装置１だけでなく図示せぬ他の電子機器も組み付けられている。また、図４に示すように、透過板ユニット４は透明な保護パネル５の片面に両面接着テープ６によって防塵シート７を貼り付けた積層体であり、保護パネル５の他面が両面接着テープ８によって前面パネル２の裏面側に貼り付けられるようになっている。
【００１８】
図３に示すように、前面パネル２の開口部２ａは正面視横長でやや下窄まりな台形状に形成されている。この開口部２ａは裏面側から保護パネル５によって蓋閉されており、保護パネル５を介して表示画面３ａが開口部２ａと対向している（図１参照）。また、図２に示すように、前面パネル２の裏面側には、開口部２ａの上縁や下縁に沿って多数の凹所（空所）２ｂが並設されていると共に、開口部２ａの周囲の複数箇所にねじ止め用ボス２ｃが突設されている。図１に示すように、各凹所２ｂは前面パネル２の裏面側で外部空間と連通されている。
【００１９】
表示ユニット３は公知の液晶ユニットであり、その本体部３ａが板金製の筐体３ｂの内部に収納されている。また、筐体３ｂの複数箇所に設けられた取付孔３ｃに図示せぬ取付ねじを挿入して該取付ねじを前記ねじ止め用ボス２ｃに螺着させることにより、表示ユニット３は前面パネル２の裏面側の所定位置に固定されるようになっている。その際、前面パネル２の裏面側には予め開口部２ａを蓋閉する位置に透過板ユニット４が取り付けられるので、表示ユニット３を前面パネル２にねじ止め固定すると、これら表示ユニット３と前面パネル２との間に透過板ユニット４が挟圧されるようになっている。なお、図１において筐体３ｂの一部は図示省略されている。
【００２０】
図４に示すように、透過板ユニット４は矩形状の保護パネル５と枠状の両面接着テープ６，８および防塵シート７とを積層して一体化したものである。保護パネル５はポリカーボネイトやアクリルなどの無色透明または有色透明な合成樹脂板からなり、スケールプレート（目盛り板）を兼ねている。この保護パネル５の外周部には多数の通気孔５０が列状に形成されている。各通気孔５０はほとんどが略同形の長孔として形成されているが、保護パネル５の下側の両隅部２箇所の通気孔５０ａだけは異形で口径が大きい長孔として形成されている。なお、図３では図面の煩雑さを避けるために多数の通気孔５０のうち口径の大きな通気孔５０ａのみを図示している。
【００２１】
両面接着テープ６は枠状の防塵シート７を保護パネル５の片面の外周部に貼り付けるために用いられており、両面接着テープ８は保護パネル５の他面の外周部を前面パネル２の開口部２ａの周縁部に貼り付けるために用いられている。ただし、両面接着テープ６，８に形や大きさの相違はなく、その平面形状は開口部２ａよりもひと回り大きい開口６ａ，８ａを有する枠状であり、その外形は保護パネル５よりも僅かに小さい矩形状である。これら両面接着テープ６，８には、保護パネル５の通気孔５０（通気孔５０ａを含む）と対向する位置に逃げ孔６ｂ，８ｂが列状に形成されている。なお、両面接着テープ６，８の基本構造は、ＰＥＴ等からなる基材の両面に粘着層が被着されているという公知のものである。
【００２２】
防塵シート７は通気性を有して塵埃類が捕獲しやすい不織布からなり、この不織布を両面接着テープ６と重なり合う形状に打ち抜くことによって防塵シート７が形成されている。すなわち、防塵シート７の平面形状は開口部２ａよりもひと回り大きい開口７ａを有する枠状であり、防塵シート７の外形は保護パネル５よりも僅かに小さい矩形状である。この防塵シート７は両面接着テープ６の逃げ孔６ｂを塞いだ状態で保護パネル５の外周部に貼着されるため、保護パネル５の通気孔５０（通気孔５０ａを含む）はすべて片面側が防塵シート７に覆われた状態になっている（図１参照）。なお、開口７ａがやや下窄まりな台形状であることから、防塵シート７の下側の両隅部は相対的に幅広な幅広部７ｂとなっており、この幅広部７ｂによって口径の大きな通気孔５０ａが覆われるようになっている。
【００２３】
本実施形態例に係る液晶表示装置１を組み立てる際には、まず、保護パネル５の片面に両面接着テープ６を介して防塵シート７を貼着する。次に、この保護パネル５の他面を両面接着テープ８を介して前面パネル２の裏面側の開口部２ａ周縁部に貼着する。これにより、開口部２ａが裏面側から保護パネル５によって蓋閉されると共に、保護パネル５の外周部に列設されている通気孔５０が両面接着テープ８の逃げ孔８ｂを介して前面パネル２の凹所２ｂと対向する位置に配置される（図１参照）。
【００２４】
しかる後、表示ユニット３を前面パネル２の裏面側にねじ止め固定して筐体３ｂの前面を防塵シート７の外周部に圧接させる。これにより、図１に示すように、表示ユニット３の表示画面３ａが保護パネル５に覆われて両者３ａ，５間にギャップ空間９が介在し、このギャップ空間９の周囲が防塵シート７と筐体３ｂに包囲された状態になる。また、通気孔５０を覆っている防塵シート７の内周寄りの一部が該通気孔５０とギャップ空間９とを仕切る隔壁部７ｃとなるため、この隔壁部７ｃを通気孔５０とギャップ空間９との間の空気流通路として機能させることができる。つまり、図１の矢印で模式的に示すように、ギャップ空間９内の空気は防塵シート７の隔壁部７ｃを通過して通気孔５０から凹所２ｂ経由で外部空間へ流れ出ていくことができ、矢印と逆の経路で外部空間の空気がギャップ空間９内へ流れ込むこともできる。
【００２５】
なお、表示ユニット３を前面パネル２に取り付けると、透過板ユニット４の外周部が前面パネル２と筐体３ｂとに挟圧された状態になるため、保護パネル５や防塵シート７の取付強度は極めて高くなる。また、表示画面３ａと保護パネル５との間にギャップ空間９が存するため、保護パネル５が搭乗者の手指などで押されて撓んでも表示画面３ａを損傷させる虞はない。
【００２６】
このように本実施形態例に係る液晶表示装置１は、表示画面３ａと保護パネル５との間に介在するギャップ空間９が通気性を有する枠状の防塵シート７に包囲されていると共に、保護パネル５の外周部に設けた通気孔５０が防塵シート７の隔壁部７ｃを介してギャップ空間９と仕切られているため、外部空間からギャップ空間９内へ流入する空気中に含まれている塵埃類を防塵シート７で確実に捕獲することができ、ギャップ空間９内で浮遊する塵埃類も防塵シート７で捕獲することができる。また、ギャップ空間９と通気孔５０とをオーバーラップさせて両者９，５０間での空気の流通が円滑に行えるようにしてあるため、ギャップ空間９と外部空間との温度差が速やかに解消できて良好な曇り止め効果を期待できる。つまり、ギャップ空間９内に結露が発生しにくく、仮に発生しても速やかに結露を消失させることができる。
【００２７】
また、上記の液晶表示装置１に用いられている防塵シート７は全体形状が閉ループな枠状なので、防塵シート７を保護パネル５に対して容易に貼着することができ、かつ貼着後は保護パネル５と防塵シート７を１枚の板状部材（透過板ユニット４）として取り扱うことができる。つまり、ギャップ空間９の防塵防曇対策として防塵シート７を採用することにより組立コストが抑制できるため、この液晶表示装置１は低コスト化が図りやすい。
【００２８】
また、本実施形態例において、防塵シート７は通気孔５０を覆っている部分の背面の全領域をギャップ空間９に臨出させているわけではなく、当該部分のうち防塵シート７の内周寄りの一部だけが通気孔５０とギャップ空間９とを仕切っており、他部は表示ユニット３の筐体３ｂに圧接してギャップ空間９には臨出していない。こうすることによって、ギャップ空間９との空気流通路（隔壁部７ｃ）を確保しつつ、通気孔５０を保護パネル５の外周縁近傍に設けることができるので、保護パネル５のうち前面パネル２の開口部２ａに臨出させうる有効領域が広くとれるようになり、それに伴って液晶表示装置１の表示領域を拡大することができる。ただし、保護パネル５の外周縁と通気孔５０との間にスペース上の余裕がある場合には、通気孔５０に対して筐体３ｂがほとんどオーバーラップしないように設定し、防塵シート７がほとんど隔壁部７ｃだけで通気孔５０を覆うようにしてもよい。
【００２９】
また、本実施形態例では、デザイン上の理由で前面パネル２の開口部２ａが単純な矩形とは異なる形状（やや下窄まりな台形状）に設定されているため、防塵シート７の下側の両隅部に幅広部７ｂを設けると共に、保護パネル５の複数の通気孔５０のうち幅広部７ｂに覆われる通気孔５０ａの口径を相対的に大きくしてある。この通気孔５０ａはギャップ空間９とオーバーラップする面積を十分に確保することができるため、他の通気孔５０に比べて空気の流通量が極めて大きく、それゆえ通気孔５０ａの追加によってギャップ空間９内の曇り止め効果は一層高まる。
【００３０】
なお、防塵シート７の材料としては塵埃類の捕獲に好適で通気性に富むものを適宜選択することができるが、上記の実施形態例のように防塵シート７が不織布からなると、種類が豊富で廉価であり加工も容易なため特に好ましい。
【符号の説明】
【００３１】
１  液晶表示装置
２  前面パネル
２ａ  開口部
２ｂ  凹所（空所）
３  表示ユニット
３ａ  表示画面
３ｂ  筐体
４  透過板ユニット
５  保護パネル
６，８  両面接着テープ
６ｂ，８ｂ  逃げ孔
７  防塵シート
７ｂ  幅広部
７ｃ  隔壁部
９  ギャップ空間
５０，５０ａ  通気孔
【図１】
2011133783.tif 000003
【図２】
2011133783.tif 000004
【図３】
2011133783.tif 000005
【図４】
2011133783.tif 000006